(57)【要約】【課題】気体の充填が容易であるブロック体と、そのブロック体を用いた構造体を提供する。【解決手段】ブロック体１００は、複数個が連結されて構造体を構成するためのものであって、気体導入部から気体が導入されることで膨張し、気体を密封可能な袋体１１０と、袋体１１０と連通することなく連結され、袋体１１０の膨張に伴って外気が充填されて膨張し、膨張した状態を保持可能な膨張体１２０と、他のブロック体１００と連結するための連結部１３０と、を有することを特徴とする。かかる構成によれば、袋体に気体を導入することによって、袋体１１０の膨張に伴って膨張体１２０にも外気が充填される。このようにして、気体の充填が容易であるブロック体と、そのブロック体を用いた構造体を提供することができる。【選択図】図１
2019167744.tif 000002
【特許請求の範囲】
【請求項１】
複数個が連結されて構造体を構成するためのブロック体であって、
気体導入部から気体が導入されることで膨張し、前記気体を密封可能な袋体と、
前記袋体と連通することなく連結され、前記袋体の膨張に伴って外気が充填されて膨張し、膨張した状態を保持可能な膨張体と、
他のブロック体と連結するための連結部と、
を有することを特徴とする、ブロック体。
【請求項２】
前記膨張体は、膨張した状態で内部から外部への外気の導出を防ぐための外気導出防止部を備えたことを特徴とする、請求項１に記載のブロック体。
【請求項３】
前記袋体、前記膨張体又は前記連結部の少なくともいずれかに、赤外線吸収剤又は紫外線反射剤が塗布されていることを特徴とする、請求項１又は２に記載のブロック体。
【請求項４】
前記連結部は、他のブロック体と嵌合するための凹凸部が設けられていることを特徴とする、請求項１〜３のいずれかに記載のブロック体。
【請求項５】
前記膨張体は、膨張した状態を磁力によって保持するための磁力部を備えたことを特徴とする、請求項１〜４のいずれかに記載のブロック体。
【請求項６】
請求項１〜５のいずれかに記載のブロック体が複数連結されて構成される構造体であって、前記ブロック体同士が前記連結部により連結されることを特徴とする、構造体。
【発明の詳細な説明】
【技術分野】
【０００１】
本発明は、気体が充填されるブロック体と、複数のブロック体が連結されて構成される構造体（構造物）に関する。
【背景技術】
【０００２】
従来、複数のブロック体が連結されて構成される構造体として、特開平５−７２３８９号公報（特許文献１）に開示される放射能拡散防止ハウスがある。同文献には以下の技術が開示されている。ビニールシート等の撓性を有するシート部材により、内部に空気等の気体を封入した袋体を作製する。この袋体は、大、中、小等の数種類の大きさのものを用意し、作業内容や設置場所に応じて、適当なサイズの袋体を所要数接合して、任意の形状、大きさのハウスを作製する。
【０００３】
袋体同士の接合は、袋体に取り付けたファスナーを用いる。このファスナーは、気密性と引張り強度、及び接合、分離に優れたものを使用する。このような放射能拡散防止ハウスによれば、ファスナーを用いることによって、ハウス内全体の気密性を向上させることができるとともに、ハウスの組み立て、解体作業をワンタッチで容易かつ迅速に行うことができる。
【先行技術文献】
【特許文献】
【０００４】
【特許文献１】特開平５−７２３８９号公報
【発明の概要】
【発明が解決しようとする課題】
【０００５】
しかしながら、特許文献１に開示されるような構造体では、袋体を膨らませるために、各袋体に袋体の大きさの分だけ気体を充填しなければならず、作製が手間取るという問題点があった。
【０００６】
そこで本発明は、このような問題に鑑みてなされたもので、その目的とするところは、気体の充填が容易であるブロック体と、そのブロック体を用いた構造体を提供することにある。
【課題を解決するための手段】
【０００７】
上記課題を解決するために、本発明の第１の観点によれば、複数個が連結されて構造体を構成するためのブロック体であって、気体導入部から気体が導入されることで膨張し、前記気体を密封可能な袋体と、前記袋体と連通することなく連結され、前記袋体の膨張に伴って外気が充填されて膨張し、膨張した状態を保持可能な膨張体と、他のブロック体と連結するための連結部と、を有することを特徴とする、ブロック体が提供される。
【０００８】
かかる構成によれば、ブロック体を袋体と膨張体により構成し、袋体に気体を導入することによって、袋体の膨張に伴って膨張体にも外気が充填される。袋体への気体の導入は人手や器具によって行うが、膨張体への外気の導入は自然に行われる。このようにして、ブロック体への気体の充填が容易である。特に、ブロック体を多数連結して人手で構造体を構成するような場合に有効である。
【０００９】
本発明は様々な応用が可能である。以下の応用例は適宜組み合わせることが可能である。
例えば、前記膨張体は、膨張した状態で内部から外部への外気の流出を防ぐための外気流出防止部を設けてもよい。かかる構成によれば、膨張体が膨張した状態を保持することができる。
【００１０】
また、前記袋体又は前記膨張体の少なくともいずれかに、赤外線吸収剤又は紫外線反射剤が塗布されているようにしてもよい。かかる構成によれば、赤外線吸収剤、紫外線反射剤を塗布することで、構造体内部と外部の温度調整・結露防止の効果を持たせることができる。特に、ブロック体をビニールシートのような透明素材で構成する場合に有効である。
【００１１】
また、前記連結部は、他のブロック体と嵌合するための凹凸部が設けられているようにしてもよい。かかる構成によれば、ブロック体同士を凹凸部で嵌合させて連結することにより、ブロック体が容易に連結できて外れにくい。
【００１２】
また、前記膨張体は、膨張した状態を磁力によって保持するための磁力部を備えるようにしてもよい。かかる構成によれば、磁力の反発力を用いて膨張体を膨張した状態に保持することができる。
【００１３】
上記課題を解決するために、本発明の第２の観点によれば、上記本発明の第１の観点に係るブロック体が複数連結されて構成される構造体であって、前記ブロック体同士が前記連結部により連結されることを特徴とする、構造体が提供される。かかる構成によれば、ブロック体への気体の充填が容易であることから、構造体を容易に構成することができる。
【発明の効果】
【００１４】
本発明によれば、気体の充填が容易であるブロック体と、そのブロック体を用いた構造体を提供することが可能である。本発明のその他の効果については、後述する発明を実施するための形態においても説明する。
【図面の簡単な説明】
【００１５】
【図１】ブロック体１００の概念を示す図である。
【図２】連結部１３０を示す図である。
【図３】略直方体形状のブロック体２００の構成を示す図である。
【図４】略三角柱形状のブロック体３００の構成を示す図である。
【図５】ビル状の構造体を示す図である。
【図６】ハウス状の構造体を示す図である。
【図７】テープ状の連結部４３０を示す図である。
【図８】マグネットシートの連結部５３０の他の一例を示す図である。
【図９】凹凸部６３２を有する連結部６３０を示す図である。
【発明を実施するための形態】
【００１６】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１７】
（第１の実施形態）
本実施形態に係るブロック体１００の構成について、図１及び図２を参照しながら説明する。図１は、ブロック体１００の原理を示す図である。図２は、ブロック体１００の連結部１３０を示す図である。
【００１８】
ブロック体１００は、複数個が連結されて構造体（構造物）を構成するためのものである。ブロック体１００は、図１に示したように、気体導入部１１２から気体が導入されることで膨張し、気体を密封可能な袋体１１０と、袋体１１０と連通することなく連結され、袋体１１０の膨張に伴って外気により膨張し、膨張した状態を保持可能な膨張体１２０と、他のブロック体１００と連結するための連結部１３０と、を有することを特徴とする。以下、各構成要素について詳細に説明する。
【００１９】
（袋体１１０）
袋体１１０は、図１に示したように、略直方体形状のブロック体１００の梁となる部分である。袋体１１０は、略直方体形状の各辺を構成する１２本の筒状の梁部１１０ａ、１１０ｂ、・・・、１１０ｌにより構成されている。隣り合う筒状の梁部１１０ａ〜１１０ｌ同士は連通しており、気体が流通自在である。袋体１１０は、気体を導入するための気体導入部１１２を備える。気体導入部１１２は、例えば、浮き輪の空気導入部と同様に構成することができる。
【００２０】
使用者は、この気体導入部１１２から気体を導入する。これによって、各筒状の梁部１１０ａ〜１１０ｌに順次気体が導入され、袋体１１０は膨張する。その後に、気体導入部１１２を閉じることにより、袋体１１０は膨張した状態を保持できる。なお気体の導入は、使用者が息を吹き込んでもよく、外気を導入するためのポンプのような器具を用いてもよい。ブロック体１００の大きさに応じて、気体の導入手段を異なるものとしてもよい。
【００２１】
袋体１１０は、樹脂素材など柔軟な素材により構成することができる。袋体１１０の大きさは任意であり、このブロック体１００を用いてどのような構造体を構成するかによって、さまざまな大きさのものを用いることができる。袋体１１０の生地の厚みも任意である。
【００２２】
（膨張体１２０）
膨張体１２０は、袋体１１０と連通することなく連結されており、袋体１１０の膨張に伴って外気が充填されて膨張し、膨張した状態を保持可能である。以下、説明する。
【００２３】
膨張体１２０は、図１に示したように、略直方体形状の各面１２０ａ、１２０ｂ、・・・、１２０ｆを構成する。膨張体１２０の各辺は、袋体１１０の筒状の梁部１１０ａ〜１１０ｌにそれぞれ連結されている。膨張体１２０は、袋体１１０と連通することなく連結されている。すなわち、袋体１１０に気体が導入されたときに、その気体は膨張体１２０には流入しない。
【００２４】
膨張体１２０は、袋体１１０の膨張により、袋体１１０によって構成される梁部１１０ａ〜１１０ｌの間隔が広がるに伴って外気が導入されて自然に膨張し、膨張した状態を保持可能である。すなわち、膨張体１２０は、図１に示したように、外気導入部１２２を備える。外気導入部１２２は、袋体１１０の気体導入部１１２と同様に、浮き輪の空気導入部と同様に構成することができる。袋体１１０が膨張すると、それに伴って、外気導入部１２２から自動的に外気が導入される。この際、使用者が息を吹き込んだり、外気を導入するためのポンプのような器具を用いたりする必要はない。
【００２５】
膨張体１２０には、例えば、膨張した状態で内部から外部への外気の流出を防ぐための外気導出防止部を設けてもよい。このような外気導出防止部で外気導入部１２２を閉じることにより、内部から外部への外気の流出が防止されて、膨張体１２０は膨張した状態を保持できる。なお、膨張体１２０が膨張した状態とは、空間的に膨張した状態であればよく、必ずしも膨張体１２０を密封しなくてもよい。
【００２６】
膨張体１２０は、樹脂素材など柔軟な素材により構成することができる。膨張体１２０の生地の厚みも任意である。
【００２７】
（連結部１３０）
連結部１３０は、他のブロック体１００と連結するための部分である。連結部１３０について、図２を参照しながら説明する。図２は、連結部１３０を示す図である。連結部１３０は、図２に示したように、略直方体形状のブロック体１００の側面に耳として設けられる。連結部１３０は、ブロック体１００の任意の側面に任意の数設けられる。連結部１３０は、他のブロック体１００の連結部１３０と連結するために、ボタン、ファスナー、面ファスナー等により構成されている。連結部１３０の他の部分は、樹脂素材など柔軟な素材により構成することができる。連結部１３０の生地の厚みも任意である。
【００２８】
このような連結部１３０によれば、図２に示したように、他のブロック体１００と連結することができる。また、連結部１３０を用いないときには、ブロック体１００に密着させておくことによりじゃまになりにくい。
【００２９】
以上説明した袋体１１０、膨張体１２０及び連結部１３０の少なくともいずれかには、赤外線吸収剤や紫外線反射剤（塗料）を塗布することができる。赤外線吸収剤や紫外線反射剤を塗布することによって、構造体内部と外部の温度調整・結露防止の効果を持たせることができる。特に、袋体１１０、膨張体１２０又は連結部１３０をビニールシートのような透明素材で構成する場合に有効である。
【００３０】
（第１の実施形態の効果）
以上説明したように、本実施形態によれば、ブロック体１００を袋体１１０と膨張体１２０により構成し、袋体１１０に気体を導入することによって、袋体１１０の膨張に伴って膨張体１２０にも外気が充填される。袋体１１０への気体の導入は人手や器具によって行うが、膨張体１２０への外気の導入は自然に行われる。このようにして、ブロック体１００への気体の充填が容易であり、ブロック体１００を容易に展開することができる。特に、ブロック体１００を多数連結して人手で構造体を構成するような場合に有効である。
【００３１】
また、膨張体１２０に、膨張した状態で内部から外部への外気の導出を防ぐための外気導出防止部を設けると、膨張体１２０が膨張した状態を保持することができる。
【００３２】
また、袋体１１０、膨張体１２０又は連結部１３０の少なくともいずれかに、赤外線吸収剤又は紫外線反射剤を塗布することで、構造体内部と外部の温度調整・結露防止の効果を持たせることができる。特に、ブロック体１００をビニールシートのような透明素材で構成する場合に有効である。
【００３３】
以下では、上記第１の実施形態を応用した他の実施形態について説明する。以下の実施形態の説明では、上記第１の実施形態と異なる点を中心に説明することとし、上記第１の実施形態と同様の点については、重複説明を省略することがある。
【００３４】
（第２の実施形態）
図３は、上述したブロック体１００と同様の基本構造を持つブロック体の他の一例である。本実施形態のブロック体２００は、図３に示したように、縦・横が５０ｃｍ、幅が１０ｃｍ程度の略直方体形状である。ブロック体２００は、中央部に略直方体形状の膨張体２２０があり、その周囲に袋体２１０がある。上記第１の実施形態と同様に、袋体２１０は、気体導入部から気体が導入されることで膨張し、気体を密封可能である。膨張体２２０は、袋体２１０と連通することなく連結され、袋体２１０の膨張に伴って外気が充填されて膨張し、膨張した状態を保持可能である。ブロック体２００の周囲には、図３に示したように、全周にわたって他のブロック体と連結するための連結部２３０が設けられている。
【００３５】
本実施形態のブロック体２００、袋体２１０、膨張体２２０及び連結部２３０のその他の点については、上記第１の実施形態のブロック体１００、袋体１１０、膨張体１２０、連結部１３０と同様に構成することができる。本実施形態のブロック体２００を複数連結すると、様々な構造体を構成することができる。
【００３６】
（第３の実施形態）
図４は、上述したブロック体１００と同様の基本構造を持つブロック体の他の一例である。本実施形態のブロック体３００は、図４に示したように、一辺が５０ｃｍ、幅が１０ｃｍ程度の略三角柱形状である。ブロック体３００は、中央部に略三角柱形状の膨張体３２０があり、その周囲に袋体３１０がある。上記第１の実施形態と同様に、袋体３１０は、気体導入部から気体が導入されることで膨張し、気体を密封可能である。膨張体３２０は、袋体３１０と連通することなく連結され、袋体３１０の膨張に伴って外気が充填されて膨張し、膨張した状態を保持可能である。ブロック体３００の周囲には、図４に示したように、全周にわたって他のブロック体と連結するための連結部３３０が設けられている。
【００３７】
本実施形態のブロック体３００、袋体３１０、膨張体３２０及び連結部３３０のその他の点については、上記第１の実施形態のブロック体１００、袋体１１０、膨張体１２０、連結部１３０と同様に構成することができる。本実施形態のブロック体３００を複数連結したり、あるいは、本ブロック体３００と第２の実施形態のブロック体２００を組み合わせたりすると、様々な構造体を構成することができる。
【００３８】
（第４の実施形態）
上記実施形態では、ブロック体の構成について説明した。本実施形態では、ブロック体が複数個連結されて構成される構造体について、図５を参照しながら説明する。図５は、ビル状の構造体ＳＴ１を示す図である。
【００３９】
図５は、略直方体形状のブロック体２００を２×５×２個連結して構成される構造体ＳＴ１である。図５に示した一例では、中空の構造体ＳＴ１は、ブロック体２００を、幅方向に５ブロック（２５０ｃｍ）、高さ方向に２ブロック（１００ｃｍ）、奥行き方向に２ブロック（１００ｃｍ）を連結したものである。構造体ＳＴ１の内側は空間になっており、人が入ることができる。構造体ＳＴ１は、中に人が入って座ったり寝たりすることができる簡易テント又はエアかまくらとして機能する。構造体ＳＴ１の内側に人が入ることができるように、構造体ＳＴ１には入口を設けてもよく、あるいは、構造体ＳＴ１は軽いので、構造体ＳＴ１を人が持ち上げて中に入ってもよい。なお、連結するブロック体２００の数や方向を任意に変更することにより、構造体の大きさや形状を任意に変更することができる。
【００４０】
構造体ＳＴ１を構成するためには、それぞれのブロック体２００を膨らませることが必要である。それぞれのブロック体２００を膨らませるのはそれなりに手間が掛かるので、例えば空気入れポンプ側のチューブを分岐させたような構造にしておき、一定数の複数のブロック体２００を同時に膨らませるようにしてもよい。
【００４１】
（第４の実施形態の効果）
本実施形態の効果として、独立したブロック体２００を複数連結することのメリットについて説明する。
【００４２】
一部のブロック体２００の中心は通風孔として開放しておくことも可能である。それぞれのブロック体２００が独立していることで、ブロック体２００ごとにその圧力（＝空気の封入量）を自在にコントロールできる。従来のようにブロック体がすべて連結されている場合には、その一体が同じ圧力で成型されるが、この場合、例えば床面にもエアクッションを設けたい場合など、反発力を調整するため敢えて空気を抜いておきたいといったような調整はできない。この点、本実施形態のように、ブロック体２００が独立していれば、ブロック体２００が集合して構成される構造体について、その壁面、床面、天面の圧力を独立して調整することができる。
【００４３】
例えば、壁面はブロック体２００同士の密着性を強くするために、若干圧力を下げて空気封入し、天面は水平方向の構造体のエリア（＝構造体の張り具合）を決めるので、最大圧力で空気を封入すると、ブロック体２００同士の隙間は多少できるが、構造体としての安定度は増す。もし床面もブロック体２００を敷き詰める場合には、かなり低い圧力で封入し、移動時などに支障が出ないようにしておくというように様々な調整が可能である。なお、各ブロック体２００の圧力調整は、例えば空気ポンプ側の圧力ゲージ等で調整できる。
【００４４】
また、従来のようにブロック体がすべて連結した構造体の場合、一旦どこかに穴が空いたら構造体として使えなくなるが、本実施形態のように独立したブロック体２００の場合には、破裂箇所のブロック体２００だけ交換すればよい。さらにその応用として、交換したブロック体２００への空気封入は、すぐ隣りのブロック体２００からチューブを一時的につなげておけば自動的に圧力供給されるため、改めて空気ポンプを用意しないでも済む。
【００４５】
（第５の実施形態）
本実施形態では、ブロック体が複数個連結されて構成される他の構造体について、図６を参照しながら説明する。図６は、ハウス状の構造体ＳＴ２を示す図である。
【００４６】
図６に示した一例では、ハウス状の構造体ＳＴ２は、上記ビル状の構造体ＳＴ１（図５）の天井部分に代えて、屋根部分を設けたものである。屋根平面部には略直方体形状のブロック体２００（図３）を５×２個並べ、屋根側面部には略三角柱形状のブロック体３００（図４）を４個並べている。構造体ＳＴ２の中に人が入ったときに、高さ方向にもゆとりのある空間を構成することができ、使用者がより自由に動きやすい。構造体ＳＴ２の内部で立ち上がることもできる。
【００４７】
（第５の実施形態の効果）
以上説明したように、本実施形態によれば、略直方体形状のブロック体２００と略三角柱形状のブロック体３００とを組み合わせることで、多様な構造体を構成することができる。
【００４８】
（第６の実施形態）
以下の実施形態では、ブロック体の他の応用例について説明する。上記第１の実施形態のブロック体１００では、連結部の一例として、側面に耳を設けた連結部１３０について説明したが、このような耳を設けた連結部ではなく、ブロック体の側面に直接連結部を形成してもよい。図７は、連結部の他の形態を示す図である。
【００４９】
本実施形態のブロック体４００は、図２に示した略直方体形状のブロック体１００の連結部１３０に代えて連結部４３０を備えたものである。連結部４３０は、図７に示したように、ブロック体４００の表面に接着性を有する物体を備え、これを介してブロック体４００の側面同士を接着することができる。
【００５０】
（第７の実施形態）
連結部の他の一例として、図８に示したような、自由に回転するマグネットシートからなる連結部５３０としてもよい。本実施形態のブロック体５００は、図２に示した略直方体形状のブロック体１００の連結部１３０に代えて連結部５３０を備えたものである。連結部５３０は、図８に示したように、ブロック体５００の表面に回転可能に設けられる。連結部５３０を回転させると、表面がＳ極又はＮ極になる。連結するブロック体５００の連結部５３０同士の極性が、Ｓ極とＮ極になるように連結部５３０を回転させて吸着させることにより、ブロック体５００の側面同士を接着することができる。
【００５１】
（第８の実施形態）
図９は、凹凸部６３２を有する連結部６３０を示す図である。連結部の他の一例として、図９に示したような、他のブロック体と嵌合するための凹凸部６３２を設けてもよい。凹凸部６３２は、第１の実施形態のような耳状の連結部に設けてもよいし、第６又は第７の実施形態のように、ブロック体の膨張体の面に設けてもよい。
【００５２】
（第９の実施形態）
膨張体の膨張を促すために、膨張体の内部、例えば膨張体の対向する面に磁石を設け、その磁石の磁力により膨張体の膨張を促すようにしてもよい。例えば、上記第２の実施形態のブロック体２００（図３）や上記第３の実施形態のブロック体３００（図４）のような幅の薄いブロック体にこのような磁石を設けることが好ましい。ただ、磁石を用いた場合、膨張体が膨張していない状態で磁石同士が反発し合うなど不具合が生じるおそれがある。そこで、磁石を定位置に保持するためのガイドやホルダ（ポケット）を設けてもよい。あるいは、磁力を発生させるための手段として、磁石に代わりに電磁石を用いてもよい。
【００５３】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００５４】
例えば、上記実施形態では、膨張体は、膨張した状態で内部から外部への外気の導出を防ぐための外気導出防止部を備えた構成としたが、本発明はこの例に限定されない。膨張体は所望の大きさに膨張していれば、外気の導出を防ぐための積極的な構成を有していなくてもよい。
【００５５】
また、上記実施形態では、袋体、膨張体又は連結部の少なくともいずれかに、赤外線吸収剤又は紫外線反射剤が塗布されている構成とし、構造体内部と外部の温度調整・結露防止の効果を持たせる構成としたが、本発明はこの例に限定されない。ブロック体の使用方法や使用する場所などに応じて、適宜設計とすることができる。例えば、保温性を向上させる構成にしたり、特別な加工を施さない構成にしたりすることもできる。また、赤外線吸収剤又は紫外線反射剤やその他の薬剤を含んだ樹脂でブロック体を構成したりすることもできる。
【００５６】
また、上記実施形態では、ブロック体を方形状や三角形状としたが、本発明はこの例に限定されない。例えば、六角形状や八角形状など多角形状のブロック体としてもよい。
【００５７】
上記実施形態、応用例、変形例は、任意に組み合わせて実施することができる。
【符号の説明】
【００５８】
１００、２００、３００、４００、５００  ブロック体
１１０  袋体
１１０ａ〜１１０ｌ  梁部
１１２  気体導入部
１２０、４２０、５２０  膨張体
１２０ａ〜１２０ｆ  面
１２２  外気導入部
１３０、６３０  連結部
６３２  凹凸部
ＳＴ１、ＳＴ２  構造体
【図１】
2019167744.tif 000003
【図２】
2019167744.tif 000004
【図３】
2019167744.tif 000005
【図４】
2019167744.tif 000006
【図５】
2019167744.tif 000007
【図６】
2019167744.tif 000008
【図７】
2019167744.tif 000009
【図８】
2019167744.tif 000010
【図９】
2019167744.tif 000011